(57)【要約】【課題】受信チャンネル帯域内の信号レベル偏差を低減する。【解決手段】受信部１１０は、増幅器１４の出力が供給されるアンテナ同調フィルタ回路１０１と、このアンテナ同調フィルタ回路１０１の出力に接続された増幅器１０２と、この増幅器１０２の出力が一方の入力に供給されるとともに、他方の入力には局部発振器１０５の出力が接続された混合器１０４とを備え、アンテナ同調フィルタ回路１０１は、複同調フィルタで構成されたものである。これにより受信チャンネル帯域内の信号レベル偏差を低減することができるチューナ装置を提供することができる。【選択図】図１
2005203935.tif 000002
【特許請求の範囲】
【請求項１】
高周波信号が供給される入力端子と、この入力端子に入力された前記高周波信号が供給される利得制御回路と、この利得制御回路に接続された第１の増幅器と、この第１の増幅器の出力が供給される受信部と、この受信部の出力が供給されるＩＦ出力端子とを有したチューナ装置において、前記受信部は、前記第１の増幅器の出力が供給されるアンテナ同調フィルタ回路と、このアンテナ同調フィルタ回路の出力に接続された第２の増幅器と、この第２の増幅器の出力が一方の入力に供給されるとともに、他方の入力には局部発振器の出力が接続された混合器とを備え、前記アンテナ同調フィルタ回路は、複同調フィルタで構成されることを特徴としたチューナ装置。
【請求項２】
第２の増幅器は、一定の利得を有したアンプとした請求項１に記載のチューナ装置。
【請求項３】
第２の増幅器は、低インピーダンスなアンプとした請求項１に記載のチューナ装置。
【請求項４】
アンテナ同調フィルタ回路と第２の増幅器との間には、イメージトラップ回路が挿入された請求項１に記載のチューナ装置。
【請求項５】
混合器は、イメージ・リジェクション・ミキサとした請求項１に記載のチューナ装置。
【請求項６】
第１の増幅器と第１の受信部との間には、第２の利得制御回路が挿入された請求項１に記載のチューナ装置。
【請求項７】
受信部は、第１の増幅器の出力が供給されるバンド切り替えスイッチと、このバンド切り替えスイッチの一方の出力に接続されるとともに、高周波信号を少なくとも第１の周波数バンドと、この第１の周波数バンドよりも周波数の高い第２の周波数バンドに分割された周波数バンドのうち前記第１の周波数バンドを受信する第１の受信部と、前記バンド切り替えスイッチの他方の出力に接続されるとともに前記第２の周波数バンドを受信する第２の受信部とを備え、前記バンド切り替えスイッチに設けられた制御端子には、バンド切り替え制御回路の出力が供給され、このバンド切り替え制御回路の出力は、前記第１と第２の受信部のそれぞれに設けられた増幅器のオン・オフ端子へ接続されるとともに、前記バンド切り替え制御回路の出力に応じて前記バンド切り替えスイッチと前記増幅器とを連動してオン・オフする請求項１に記載のチューナ装置。
【請求項８】
受信部は、第１の増幅器の出力が供給されるバンド切り替えスイッチと、このバンド切り替えスイッチの一方の出力に接続されるとともに、高周波信号を少なくとも第１の周波数バンドと、この第１の周波数バンドよりも周波数の高い第２の周波数バンドに分割された周波数バンドのうち前記第１の周波数バンドを受信する第１の受信部と、前記バンド切り替えスイッチの他方の出力に接続されるとともに前記第２の周波数バンドを受信する第２の受信部とを備え、第１の周波数バンドは、ＶＨＦローバンド帯域とするとともに、少なくとも前記第１の受信部におけるアンテナ同調フィルタと増幅器との間には、イメージトラップ回路が挿入された請求項１に記載のチューナ装置。
【請求項９】
高周波信号は、少なくとも第１の周波数バンドと、この第１の周波数バンドよりも周波数の高い第２の周波数バンドに分割して受信するチューナ装置において、受信部は、第１の増幅器の出力が供給されるバンド切り替えスイッチと、このスイッチの一方の出力に接続されるとともに、前記第１の周波数バンドを受信する第１の受信部と、前記スイッチの他方の出力に接続されるとともに前記第２の周波数バンドを受信する第２の受信部とを備え、第１の受信バンドは、ＶＨＦローバンド帯域とするとともに、少なくとも前記第１の受信部における混合器は、イメージ・リジェクション・ミキサとした請求項１に記載のチューナ装置。
【請求項１０】
請求項１に記載のチューナ装置における第２の増幅器と、混合器とが少なくとも集積化された集積回路。
【発明の詳細な説明】
【技術分野】
【０００１】
本発明は、ケーブルテレビジョン（以下、ＣＡＴＶと称する）用のセットトップボックス（以下、ＳＴＢと称する）や地上波放送受信等に用いるチューナ装置に関するものである。
【背景技術】
【０００２】
従来のチューナ装置は、図７に示されるような構成を有していた。
【０００３】
図７において、従来のチューナ装置は、高周波信号が供給される入力端子１０と、この入力端子１０から入力された信号が供給される利得制御回路１３と、この利得制御回路１３に接続された広帯域増幅器１４と、この広帯域増幅器１４に接続されたバンド切り替えスイッチ回路１００と、このバンド切り替えスイッチ回路１００から複数に分岐されて、後段のそれぞれに接続されたアンテナ同調フィルタ回路１１１，２１１，３１１と、これらのアンテナ同調フィルタ回路１１１，２１１，３１１のそれぞれの出力に接続される増幅器１１２，２１２，３１２と、これらの増幅器１１２，２１２，３１２のそれぞれの出力に接続された段間複同調フィルタ１１３，２１３，３１３と、これら段間複同調フィルタのそれぞれの出力に接続された混合器１０４，２０４，３０４と、これらの混合器１０４，２０４，３０４の出力が供給されるＩＦ出力端子５０を具備していた。
【０００４】
そして、それぞれ混合器１０４，２０４，３０４には、それぞれの個別の局部発振器１０５，２０５，３０５が接続されているものであった。
【０００５】
ここで、アンテナ同調フィルタ回路１１１，２１１，３１１は、全て単同調フィルタで構成されるとともに、第２の増幅器１１２，２１２，３１２は、利得制御機能を備えるものであった。
【０００６】
なお、この出願の発明に関連する先行技術文献情報としては、例えば、特許文献１が知られている。
【特許文献１】特開２００１−８１７９号公報
【発明の開示】
【発明が解決しようとする課題】
【０００７】
しかしながらこのような従来のチューナ装置では、アンテナ同調フィルタ回路１１１，２１１，３１１には、受信帯域の狭い単同調フィルタが用いられていたため、受信帯域内偏差が発生した。
【０００８】
そこで本発明は、この問題を解決したもので、受信チャンネル帯域内の信号レベル偏差を低減することができるチューナ装置を提供することを目的としたものである。
【課題を解決するための手段】
【０００９】
この目的を達成するために本発明のチューナ装置は、アンテナ同調フィルタが複同調フィルタで構成されることを特徴としたものである。これにより受信チャンネル帯域内の信号レベル偏差を低減することができる。
【００１０】
本発明の請求項１に記載の発明は、高周波信号が供給される入力端子と、この入力端子に入力された前記高周波信号が供給される利得制御回路と、この利得制御回路に接続された第１の増幅器と、この第１の増幅器の出力が供給される受信部と、この受信部の出力が供給されるＩＦ出力端子とを有したチューナ装置において、前記受信部は、前記第１の増幅器の出力が供給されるアンテナ同調フィルタ回路と、このアンテナ同調フィルタ回路の出力に接続された第２の増幅器と、この第２の増幅器の出力が一方の入力に供給されるとともに、他方の入力には局部発振器の出力が接続された混合器とを備え、前記アンテナ同調フィルタ回路は、複同調フィルタで構成されることを特徴としたチューナ装置であり、これにより、前記複同調フィルタは従来の単同調フィルタに比べ、同調ポイントが複数あることにより帯域内の周波数を広帯域設計とすることができるため、帯域内偏差が少ないという特徴を有している。従って、受信チャンネル帯域内の信号レベル偏差を低減することができるチューナ装置を提供することができる。
【００１１】
請求項２に記載の発明は、第２の増幅器は、一定の利得を有したアンプとした請求項１に記載のチューナ装置であり、これによれば、第２の増幅器による利得制御が無くなることによりアンプの入力および出力インピーダンスが変化しなくなり、アンテナ単同調フィルタ特性と段間複同調フィルタに影響を与えずフィルタ特性が変化しない。このため、入力される高周波信号の大きさにかかわらず受信チャンネル帯域内の信号レベル偏差を更に抑えることが可能となる。
【００１２】
請求項３に記載の発明は、第２の増幅器は、低インピーダンスなアンプとした請求項１に記載のチューナ装置であり、これによりアンテナ単同調フィルタと段間複同調フィルタの選択度Ｑを下げる効果が得られることから、トラッキング動作時のフィルタ特性の変化を低減することができるため、受信チャンネル帯域内の信号レベル偏差を更に抑えることが可能となる。
【００１３】
請求項４に記載の発明は、アンテナ同調フィルタ回路と第２の増幅器との間には、イメージトラップ回路が挿入された請求項１に記載のチューナ装置であり、これによりイメージ妨害性能の改善が可能であり、アンテナ同調フィルタもしくは段間同調フィルタのいずれか、もしくは両方のフィルタの減衰特性を緩和でき、特に段間複同調フィルタ回路については削除することも可能である。また段間同調フィルタ回路を削除した場合にはフィルタが一段減ることによりトラッキング時のフィルタ特性の変化を大幅に抑えることができ、受信チャンネル帯域内の信号レベル偏差を極めて少なくすることができる。
【００１４】
請求項５に記載の発明は、混合器は、イメージ・リジェクション・ミキサとした請求項１に記載のチューナ装置であり、イメージ妨害を除去する必要がないので、フィルタの減衰特性を緩和させることができる。つまり、イメージ妨害が発生しにくくなり、アンテナ同調フィルタあるいは段間同調フィルタのいずれか一方を削除しても良い。従って、低価格・小型なチューナ装置を実現することができる。
【００１５】
請求項６に記載の発明は、第１の増幅器と第１の受信部との間には、第２の利得制御回路が挿入された請求項１に記載のチューナ装置であり、これにより利得制御量を増やすことが可能となり、且つ利得制御時の感度の劣化を防ぐ効果が得られる。
【００１６】
請求項７に記載の発明は、受信部は、第１の増幅器の出力が供給されるバンド切り替えスイッチと、このバンド切り替えスイッチの一方の出力に接続されるとともに、高周波信号を少なくとも第１の周波数バンドと、この第１の周波数バンドよりも周波数の高い第２の周波数バンドに分割された周波数バンドのうち前記第１の周波数バンドを受信する第１の受信部と、前記バンド切り替えスイッチの他方の出力に接続されるとともに前記第２の周波数バンドを受信する第２の受信部とを備え、前記バンド切り替えスイッチに設けられた制御端子には、バンド切り替え制御回路の出力が供給され、このバンド切り替え制御回路の出力は、前記第１と第２の受信部のそれぞれに設けられた増幅器のオン・オフ端子へ接続されるとともに、前記バンド切り替え制御回路の出力に応じて前記バンド切り替えスイッチと前記増幅器とを連動してオン・オフする請求項１に記載のチューナ装置であり、選択されていない回路の利得を抑えることにより、ノイズの回り込みを抑えることができ、選択される回路への影響を抑えることができる。
【００１７】
請求項８に記載の発明は、受信部は、第１の増幅器の出力が供給されるバンド切り替えスイッチと、このバンド切り替えスイッチの一方の出力に接続されるとともに、高周波信号を少なくとも第１の周波数バンドと、この第１の周波数バンドよりも周波数の高い第２の周波数バンドに分割された周波数バンドのうち前記第１の周波数バンドを受信する第１の受信部と、前記バンド切り替えスイッチの他方の出力に接続されるとともに前記第２の周波数バンドを受信する第２の受信部とを備え、第１の周波数バンドは、ＶＨＦローバンド帯域とするとともに、少なくとも前記第１の受信部におけるアンテナ同調フィルタと増幅器との間には、イメージトラップ回路が挿入された請求項１に記載のチューナ装置であり、これにより特にイメージ妨害が発生しやすいＶＨＦローバンドにおいてイメージ妨害性能を更に改善することが可能であり、ＶＨＦローバンドの段間複同調フィルタを省くことが可能となる。
【００１８】
請求項９に記載の発明は、高周波信号は、少なくとも第１の周波数バンドと、この第１の周波数バンドよりも周波数の高い第２の周波数バンドに分割して受信するチューナ装置において、受信部は、第１の増幅器の出力が供給されるバンド切り替えスイッチと、このスイッチの一方の出力に接続されるとともに、前記第１の周波数バンドを受信する第１の受信部と、前記スイッチの他方の出力に接続されるとともに前記第２の周波数バンドを受信する第２の受信部とを備え、第１の受信バンドは、ＶＨＦローバンド帯域とするとともに、少なくとも前記第１の受信部における混合器は、イメージ・リジェクション・ミキサとした請求項１に記載のチューナ装置であり、これによりＶＨＦローバンドを受信する受信部の混合器がイメージ・リジェクション・ミキサであるので、特にイメージ妨害が発生しやすいＶＨＦローバンドにおいてイメージ妨害が生じにくくなる。
【００１９】
また、イメージ妨害を除去する必要がないので、フィルタの減衰特性を緩和させることができる。つまり、イメージ妨害が発生しにくくなり、アンテナ同調フィルタあるいは段間同調フィルタのいずれか一方を削除しても良い。従って、低価格・小型なチューナ装置を実現することができる。
【００２０】
特に、段間同調フィルタを削除した場合、第１の受信部における第２の増幅器と混合器とが直接に接続されることとなるので、ひとつの集積回路内に集積化しやすくなる。
【００２１】
請求項１０に記載の発明は、請求項１に記載のチューナ装置における第２の増幅器と、混合器とが少なくとも集積化された集積回路であり、部品点数の削減とコスト削減が実現できる。
【発明の効果】
【００２２】
以上のように本発明によれば、アンテナ同調フィルタ回路が複同調フィルタで構成されているので、前記複同調フィルタは従来の単同調フィルタに比べ、同調ポイントが複数あることにより帯域内の周波数を広帯域設計することができるため、帯域内偏差が少ないという特徴を有している。従って、受信チャンネル帯域内の信号レベル偏差を低減することができるチューナ装置を提供することができる。
【発明を実施するための最良の形態】
【００２３】
（実施の形態１）
以下、本発明の実施の形態１について、図面を用いて説明する。図１は、本実施の形態１におけるチューナ装置のブロック図である。図１において図７と同じものについては同じ番号を付し、その説明を簡略化する。
【００２４】
図１において、１０は、ケーブルに接続される入力端子であり、この入力端子１０には、約５４ＭＨｚから８５８ＭＨｚまでの高周波信号が入力される。そしてこの高周波信号は、３つの周波数バンドに分割されている。つまり、５４ＭＨｚから１５６ＭＨｚまでのＶＨＦローバンド（以降ＶＬバンドという）と、１５６ＭＨｚから４１４ＭＨｚまでのＶＨＦローバンド（以降ＶＨバンドという）と、４１４ＭＨｚから８５８ＭＨｚまでのＵＨＦバンド（以降Ｕバンドという）とを含んでいる。
【００２５】
なお、この入力端子１０には、アップストリーム信号入力端子２０に供給されたアップストリーム信号がアップストリーム回路２１を介して供給されている。そして入力端子１０に供給されたアップストリーム信号は、ケーブルへ出力されてＣＡＴＶ局へ送られる。
【００２６】
１１は、入力端子１０に接続された高域通過フィルタであり、入力端子１０に入力された高周波信号の中から、５４ＭＨｚより高い周波数の信号を通過させるものである。これによって、受信する帯域外の不要な信号を除去している。
【００２７】
１２は、高域通過フィルタ１１の出力が接続された分岐回路であり、ケーブルから入力された信号の中からダウンストリーム信号を分岐させるものである。そして、その一方の出力１２ａからは、５４ＭＨｚから８５８ＭＨｚまでの放送信号が出力されるとともに、他方の出力１２ｂからは、７０ＭＨｚから１３０ＭＨｚまでのダウンストリーム信号が出力される。
【００２８】
そしてこの出力１２ｂとダウンストリーム出力端子３０との間にダウンストリーム回路３１が挿入されている。なお、このダウンストリーム回路ではダウンストリーム信号を増幅し、且つダウンストリーム信号の周波数帯域外を減衰させるものである。
【００２９】
１３は、分岐回路１２の出力１２ａに接続されたＰＩＮアテネータ回路（利得制御回路の一例として用いた）であり、入力された信号のレベルを減衰させるものである。このＰＩＮアテネータ回路１３には、減衰量を可変させるためのＡＧＣ端子１３ａを有している。このＰＩＮアテネータ回路１３は、ＡＧＣ端子４０に入力された信号を、ＡＧＣ電圧制御回路４１を介してＡＧＣ端子１３ａへ供給することによって、ＡＧＣ端子４０に入力された信号に応じて減衰量が変化するものである。なお、本実施の形態１においては、約３０ｄＢ減衰させている。
【００３０】
１４は、ＰＩＮアテネータ回路１３の出力が接続された広帯域増幅器であり、この広帯域増幅器１４は、１２ｄＢの利得を有している。なお、本実施の形態１において、広帯域増幅器１４には、５４ＭＨｚから８５８ＭＨｚまでの広い帯域の周波数が入力されるので、多波歪みが発生しやすい。そこで、この広帯域増幅器１４に多波歪みが発生しにくいガリ砒素ＦＥＴを用いている。そしてさらに、この広帯域増幅器１４の上流にＰＩＮアテネータ回路１３を設けておくことで、広帯域増幅器１４に入力される高周波信号のレベルが小さくなり、多波歪みはさらに発生しにくくなる。
【００３１】
１００は、広帯域増幅器１４の出力が接続されたバンド切り替えスイッチである。このバンド切り替えスイッチ１００の切り替え端子１００ａにはバンド切り替え制御回路５０２が接続され、このバンド切り替え制御回路５０２からのバンド切り替え制御信号によって、バンド切り替えスイッチ１００の出力端子１００ｂ，１００ｃ，１００ｄのいずれかの出力端子へ選択的に出力する。
【００３２】
なお、本実施の形態１において、バンド切り替えスイッチ１００は、広帯域増幅器１４の出力と出力端子１００ｂ，１００ｃ，１００ｄとの間にそれぞれスイッチングダイオードが挿入された構成としている。そして、受信する周波数バンドに応じて、これらのスイッチングダイオードのいずれかひとつのみをオンとすることで、出力端子１００ｂ，１００ｃ，１００ｄのいずれかひとつに高周波信号が供給される。
【００３３】
１１０は、出力端子１００ｂに接続されたＶＬバンド受信部である。このＶＬバンド受信部１１０は、ＶＬバンドの信号を受信するものであり、アンテナ同調フィルタ１０１、増幅器１０２、段間同調フィルタ１０３、混合器１０４と、局部発振器１０５とから構成されている。
【００３４】
では、その詳細を以下に説明する。まずアンテナ同調フィルタ１０１は、２つのインダクタと２個のバリキャップダイオードを含む複同調型のフィルタである。そして、このバリキャップダイオードのカソード側端子に接続された制御端子１０１ａに供給される制御電圧に応じ、その通過帯域を変化させるものである。なお、本実施の形態１においては、この制御端子１０１ａへは、１Ｖから１８Ｖまでの電圧を供給することで、５４ＭＨｚから１５６ＭＨｚまでの間で通過周波数を変化させるものである。
【００３５】
次に、１０２は、アンテナ同調フィルタ回路１０１の出力が接続された増幅器である。この増幅器１０２は、約１４ｄＢの固定利得を有したものであり、低インピーダンスであるバイポーラトランジスタを用いている。
【００３６】
１０３は、増幅器１０２の出力が接続された段間同調フィルタであり、アンテナ同調フィルタ回路１０１同様に複同調型のフィルタである。この段間同調フィルタ１０３にも制御端子１０３ａを有している。そして、この制御端子１０３ａには、アンテナ同調フィルタ１０１の制御端子１０１ａへ供給される制御電圧と同じ電圧が供給される。
【００３７】
なおここで重要な点は、この受信するバンド内において、常に段間同調フィルタ１０３とアンテナ同調フィルタ１０１との通過帯域の中心周波数を略等しくしておくことである。そのために、バリキャップダイオードの容量変化比は略同じものを用い、段間同調フィルタ１０３とアンテナ同調フィルタ１０１の通過周波数を連動して変化させている。
【００３８】
１０４は、一方の入力に段間同調フィルタ１０３の出力が接続されるとともに、他方の入力には局部発振器１０５の出力が接続された混合器である。そしてこの混合器１０４によってＶＬバンドの高周波信号を、４４ＭＨｚの中間周波数へと変換する。なおそのために、局部発振器１０５は、９８ＭＨｚから２００ＭＨｚまでの発振周波数を発振する。
【００３９】
次に２１０は、出力端子１００ｃに接続されたＶＨバンド受信部である。このＶＨバンド受信部２１０は、ＶＨバンドの高周波信号を４４ＭＨｚの中間周波信号へと変換するものであり、アンテナ同調フィルタ２０１、増幅器２０２、段間同調フィルタ２０３、混合器２０４と、局部発振器２０５とから構成される。
【００４０】
ここで、アンテナ同調フィルタ２０１、段間同調フィルタ２０３には、アンテナ同調フィルタ１０１、段間同調フィルタ１０３と同じ制御電圧が供給されて、１５６ＭＨｚから４１４ＭＨｚまでの間で通過周波数を変化させるものである。また、局部発振器２０５の発振周波数は、２００ＭＨｚから４５８ＭＨｚまでとなる。
【００４１】
次に、３１０は、出力端子１００ｄに接続されたＵバンド受信部である。このＵバンド受信部３１０は、Ｕバンドの高周波信号を４４ＭＨｚの中間周波数へ変換するものであり、アンテナ同調フィルタ３０１、増幅器３０２、段間同調フィルタ３０３、混合器３０４と、局部発振器３０５とから構成される。
【００４２】
なお、アンテナ同調フィルタ回路３０１、段間同調フィルタ３０３には、アンテナ同調フィルタ回路１０１、段間同調フィルタ１０３と同じ制御電圧が供給され、４１４ＭＨｚから８５８ＭＨｚまでの間で通過周波数を変化させるものである。また、局部発振器３０５の発振周波数は、４５８ＭＨｚから９０２ＭＨｚまでとなる。
【００４３】
なお、ＶＨバンド受信部２１０やＵバンド受信部３１０の構成は、ＶＬバンド受信部１１０と基本的に同じであるので、その説明は簡略化しているが、それらアンテナ同調フィルタ２０１、段間同調フィルタ２０３、アンテナ同調フィルタ３０１、段間同調フィルタ３０３の同調周波数を制御する制御端子には、アンテナ同調フィルタ１０１と同じ制御電圧が供給される。
【００４４】
ただし、このときそれぞれの同調フィルタを構成するためのバリキャップダイオードは、それぞれのバンドにおける受信部内では、略の電圧容量変化比を有したものが用いられる。なお、Ｕバンドでは、最も広い周波数変化範囲が必要とされるので、Ｕバンド受信部３１０における同調フィルタ３０１，３０３に使用されるバリキャップダイオードの電圧容量変化比は、大きなものが必要となる。
【００４５】
次に５０１は、局部発振器１０５，２０５，３０５にループ接続されたＰＬＬ回路である。そしてこのＰＬＬ回路５０１の出力が、同調フィルタ制御回路５０５を介してアンテナ同調フィルタ１０１，２０１，３０１や、段間同調フィルタ１０３，２０３，３０３の制御端子それぞれに接続される。これによって、ＰＬＬ回路は、受信したいチャンネルに応じて、アンテナ同調フィルタ１０１，２０１，３０１や、段間同調フィルタ１０３，２０３，３０３の同調周波数を変化させることができるものである。
【００４６】
１５は、混合器１０４，２０４，３０４の出力が接続されたＩＦ増幅器である。そしてこのＩＦ増幅器１５の出力は、ＩＦ増幅器１６で再度増幅されてＩＦ出力端子５０へと供給される。
【００４７】
また、本実施の形態１においては、バンド切り替え制御回路５０２の出力が、増幅器１０２，２０２，３０２のそれぞれのオン・オフ端子へ接続されている。そして、バンド切り替えスイッチ回路１００と連動して、増幅器１０２，２０２，３０２のいずれかひとつをオンとするとともに、使用する受信部以外の受信部におけるバイポーラトランジスタのベースバイアスをグランドに落とすことにより、バイポーラトランジスタに流れる電流をほぼ０ｍＡとしている。これにより、バイポーラトランジスタの利得を抑えることができ、選択した受信部以外の受信部の影響を完全に遮断することができる。従って、選択した受信部の特性を最大限引き出すことができる。
【００４８】
更に、本実施の形態１においては、ＶＬバンド受信部１１０、ＶＨバンド受信部２１０、Ｕバンド受信部３１０の増幅器をそれぞれ個別に有する構成としている。本実施の形態１においては、受信周波数の異なる各バンド受信部のそれぞれの増幅器に、その受信周波数に応じた増幅器を設けることができる。これにより、各バンド受信部の利得を均一にできるので、チャンネル間の受信感度を改善できる。
【００４９】
また、感度性能を優先したいバンド受信部の増幅器には、高い利得を有する増幅器を用い、妨害性能を優先したいバンド受信部の増幅器には、低い利得を有する増幅器を用いるあるいは非直線歪み特性の良い増幅器を用いるなど、各バンド受信部において最適な増幅器を選択することが可能となる。
【００５０】
次に本実施の形態１におけるチューナ装置の動作について、ＶＬバンドの或るチャンネルを受信する場合を例にして説明する。ケーブル信号入力端子１０から入力された多波信号は高域通過フィルタ１１、分岐回路１２を介してＰＩＮアテネータ回路１３に入力される。このＰＩＮアテネータ回路１３で所望の利得に減衰された多波信号は、広帯域増幅器１４で増幅される。
【００５１】
ＶＬバンドを受信する場合、バンド切り替えスイッチ１００はバンド切り替え制御信号によってＶＬバンド受信部１１０へ高周波信号を供給する。そしてこのとき、ＶＨバンドの増幅器２０２およびＵバンドの増幅器３０２はバンド切り替え制御信号によって回路的に遮断される。従って、ＶＨバンド受信部２１０およびＵバンド受信部３１０は機能しない状態となる。
【００５２】
次に、ＶＬバンド受信部１１０では、まずアンテナ同調フィルタ１０１が同調フィルタ制御信号で所望の周波数に同調されることで、不要な周波数信号を除去する。
【００５３】
このアンテナ同調フィルタ１０１を通過した高周波信号は増幅器１０２で所望の利得に増幅される。そしてさらに段間同調フィルタ１０３を介して混合器１０４に出力された信号と、局部発振器１０５で発生した局部発振周波数信号とを混合器１０４で混合し、中間周波数（以降ＩＦ信号という）へ変換する。そして、このＩＦ信号はＩＦ増幅器１５とＩＦ増幅器１６にてさらに増幅され、ＩＦ出力端子５０から出力される。
【００５４】
これにより、増幅器１０２を挟んで２つの複同調型のアンテナ同調フィルタ１０１，１０３を有するので、シングルコンバージョン方式であるが、イメージなどの妨害にも良好なチューナ装置を実現することができる。なお、ここでは、ＶＬバンドのみを取り上げて説明したが、これは、ＶＨバンドやＵバンドに関しても同様の動作によって受信するものである。
【００５５】
図２には、一般的な複同調フィルタ特性を示し、図３には、一般的な単同調フィルタ特性を示す。図２の部分１に示すように、複同調フィルタは、共振点が複数あるため、広帯域に通過特性を形成することができる。これに対して、単同調フィルタは図３の部分２に示すように、共振点が１つであるため、平坦な通過特性を得ることはできない。本実施の形態１におけるアンテナ同調フィルタ回路１０１，２０１，３０１は、複同調フィルタを用いていることにより通過帯域内のゲイン偏差を抑制することが可能である。なお、図２、図３において横軸３は周波数（ＭＨｚ）であり、縦軸４は減衰量（ｄＢ）である。
【００５６】
また、図１において、一定の利得を持った増幅器１０２，２０２，３０２には、利得制御機能のないバイポーラトランジスタを使用している。つまり、前記増幅器１０２，２０２，３０２では、利得制御を行わないため、利得制御量により、前記増幅器１０２，２０２，３０２のインピーダンスが変化しないため、前記複同調フィルタは、利得制御量に影響されることなく、常に、安定した帯域内ゲイン偏差を満足することができる。また、歪み特性の良いバイポーラを使っているため、チューナ装置全体での歪み特性も改善できる。
【００５７】
なお、本実施の形態１において、混合器１０４，２０４，３０４や、局部発振器１０５，２０５，３０５や、ＩＦ増幅器１５、ＰＬＬ回路５０１とバンド切り替え制御回路５０２とはひとつの集積回路５００内に集積化されている。従って、小型なチューナ装置を実現することができる。
【００５８】
（実施の形態２）
以下、本発明の実施の形態２について、図面を用いて説明する。図４は、本発明の実施の形態２におけるチューナ装置のブロック図である。図４において図１と同じものについては、同じ番号を付し、その説明は簡略化している。
【００５９】
本実施の形態２は、実施の形態１における段間同調フィルタ１０３に代えてイメージトラップ回路１０６を用いるものである。ただしこの場合、イメージトラップ回路１０６は、アンテナ同調回路１０１と増幅器１０２との間に挿入している。
【００６０】
これによれば、同調フィルタが一段減ることによりトラッキング時のフィルタ特性の変化を大幅に抑えることができ、受信チャンネル帯域内の信号レベル偏差を極めて少なくすることができる。
【００６１】
（実施の形態３）
図５は、本実施の形態３におけるチューナ装置のブロック図である。図５において図１、図４と同じものについては、同じ番号を付し、その説明は簡略化している。なお、本実施の形態３は、実施の形態１における混合器１０４，２０４，３０４をイメージ・リジェクション・ミキサ１１４，２１４，３１４としている。
【００６２】
本構成によれば、全てのバンド回路において段間同調フィルタ１０３，２０３，３０３の削減が可能であることから、大幅な回路規模の縮小とコスト削減が可能となる。
【００６３】
そして、段間同調フィルタ１０３，２０３，３０３が不要となるので、各増幅器１０２，２０２，３０２と各イメージ・リジェクション・ミキサ１１４，２１４，３１４との間が直接に接続できることとなり、増幅器１０２，２０２，３０２を集積回路５００へ取り込むことができる。
【００６４】
（実施の形態４）
図６は、本実施の形態４におけるチューナ装置のブロック図である。図６において図１、図４、図５と同じものについては、同じ番号を付し、その説明は簡略化してある。なお、本実施の形態４は、実施の形態１における広帯域増幅器１４とバンド切り替えスイッチ回路１００との間に第２のＰＩＮアテネータ回路１７を有し、このＰＩＮアテネータ回路１７には、減衰量を可変させるためのＡＧＣ端子１７ａを有している。そして、ＡＧＣ端子４０に入力された信号を、ＡＧＣ電圧制御回路４１を介してＡＧＣ端子１７ａへ供給することによって、ＡＧＣ端子４０に入力された信号に応じて減衰量を変化させるものである。
【００６５】
本構成によれば、第１のＰＩＮアテネータ回路１３、第２のＰＩＮアテネータ回路１７が夫々略３０ｄＢの減衰量を有していることから合計で略６０ｄＢの減衰量を得ることができるため、５０ｄＢ以上の減衰量を必要とする地上波放送にも使用できるチューナ装置が実現できる。また第２のＰＩＮアテネータ１７が広帯域増幅器１４の後段に配置されていることから減衰時の感度の劣化を低減することが可能であり、例えば第１のＰＩＮアテネータ１３の減衰量を２０ｄＢ、第２のＰＩＮアテネータ１７の減衰量を４０ｄＢとすれば、減衰時の感度劣化を更に低減することが可能となる。また逆に、例えば第１のＰＩＮアテネータ減衰量を４０ｄＢ、第２のＰＩＮアテネータの減衰量を２０ｄＢとすれば広帯域増幅器の歪み性能を改善することができる。
【産業上の利用可能性】
【００６６】
本発明にかかるチューナ装置は、受信チャンネル帯域内の信号レベル偏差を低減し、且つ多波歪みに優れているので、放送受信用機器等に対して利用すると有用である。
【図面の簡単な説明】
【００６７】
【図１】本発明の実施の形態１におけるチューナ装置のブロック図
【図２】複同調フィルタの特性図
【図３】単同調フィルタの特性図
【図４】本発明の実施の形態２におけるチューナ装置のブロック図
【図５】本発明の実施の形態３におけるチューナ装置のブロック図
【図６】本発明の実施の形態４におけるチューナ装置のブロック図
【図７】従来のチューナ装置のブロック図
【符号の説明】
【００６８】
１０  入力端子
１３  ＰＩＮアテネータ
１４  広帯域増幅器
５０  ＩＦ出力端子
１０１  アンテナ同調フィルタ
１０２  増幅器
１０４  混合器
１０５  局部発振器
１１０  ＶＬバンド受信部
２０１  アンテナ同調フィルタ
２０２  増幅器
２０４  混合器
２０５  局部発振器
２１０  ＶＨバンド受信部
３０１  アンテナ同調フィルタ
３０２  増幅器
３０４  混合器
３０５  局部発振器
３１０  Ｕバンド受信部
【図１】
2005203935.tif 000003
【図２】
2005203935.tif 000004
【図３】
2005203935.tif 000005
【図４】
2005203935.tif 000006
【図５】
2005203935.tif 000007
【図６】
2005203935.tif 000008
【図７】
2005203935.tif 000009